(57)【要約】【課題】周囲の環境に問題があっても、動画の保存に対する影響を低減する。【解決手段】制御部１７は、リモコン２などの外部機器との通信状態が切断されたことを検出すると、撮像部１０に対して撮像動作を開始させ、撮影された動画を一時的に外部記憶媒体１６の所定のアドレスから記録する。そして、動画撮影中に、リモコン２などの外部機器との通信が再開されると、動画の記録を停止し、リモコン２などの外部機器からの外部操作によって保存が指示されると、外部記憶媒体１６に一時的に記録された動画を、ファイル化して外部記憶媒体１６に記録する。制御部１７は、記録開始アドレスを更新し、ファイル化した動画の格納領域を動画保存バッファとしては使用しないようにする。【選択図】図１
2016174334.tif 000002
【特許請求の範囲】
【請求項１】
撮像手段と、
記録手段と、
前記撮像手段に対して撮像動作を開始させることによって取得した画像を一時的に保存するものとして前記記録手段に記録させる第１の記録制御手段と、
外部操作に基づいて、前記第１の記録制御手段によって記録された画像を、ファイル化して前記記録手段に記録させる第２の記録制御手段と、
を備えることを特徴とする撮像装置。
【請求項２】
前記記録手段に前記第２の記録制御手段によってファイル化された画像が存在する否かを判断する判断手段を更に備え、
前記判断手段によって前記記録手段に前記第２の記録制御手段によってファイル化された画像が存在すると判断した場合、前記第１の記録制御手段は、そのファイル化された画像の格納領域以外を一時的に保存するための領域に割り当てて前記取得した画像を保存するよう制御する、
ことを特徴とする請求項１に記載の撮像装置。
【請求項３】
前記判断手段によって前記記録手段に前記第２の記録制御手段によってファイル化された画像が存在すると判断した場合、前記第１の記録制御手段は、そのファイル化された画像の格納領域を示すアドレス情報を取得し、そのアドレス情報以外で示される領域を一時的に保存するための領域に割り当てて前記取得した画像を保存するよう制御する、
ことを特徴とする請求項２に記載の撮像装置。
【請求項４】
前記第１の記録制御手段は、以前に前記第１の記録制御手段によって記録制御され、且つ前記第２の記録制御手段によってファイル化されなかった画像を消去して、あるいは上書きして、取得した画像を一時的に保存するものとして前記記録手段に記録させる、
ことを特徴とする請求項１乃至３のいずれか一項に記載の撮像装置。
【請求項５】
通信手段と、
前記通信手段の動作状態の変化を検出する検出手段と、を更に備え、
前記第１の記録制御手段は、前記検出手段によって検出された前記通信手段の動作の変化の内容に基づいて、前記撮像手段に対して撮像動作を開始させることによって取得した画像を一時的に保存するものとして前記記録手段に記録させる、
ことを特徴とする請求項１乃至４のいずれか一項に記載の撮像装置。
【請求項６】
前記通信手段の動作状態の変化とは、通信相手先が送信する特定の信号を受信したか否かの判定処理に係る変化を含む、
ことを特徴とする請求項５に記載の撮像装置。
【請求項７】
前記通信手段の動作状態の変化とは、通信相手先が送信する信号強度の変化を含む、
ことを特徴とする請求項５に記載の撮像装置。
【請求項８】
前記通信手段の動作状態の変化とは、通信相手先と接続が継続している状態から切断された状態への変化である、
ことを特徴とする請求項５に記載の撮像装置。
【請求項９】
前記画像は、動画を含む、
ことを特徴とする請求項１乃至４のいずれか一項に記載の撮像装置。
【請求項１０】
撮像部と記録部とを備える撮像装置の撮像方法であって、
前記撮像部に対して撮像動作を開始させることによって取得した画像を一時的に保存するものとして前記記録部に記録させる第１の記録制御ステップと、
外部操作に基づいて、前記第１の記録制御ステップで記録された画像を、ファイル化して前記記録部に記録させる第２の記録制御ステップと、
を含むことを特徴とする撮像方法。
【請求項１１】
撮像部と記録部とを備える撮像装置のコンピュータを、
前記撮像部に対して撮像動作を開始させることによって取得した画像を一時的に保存するものとして前記記録部に記録させる第１の記録制御機能、
外部操作に基づいて、前記第１の記録制御機能によって記録された画像を、ファイル化して前記記録部に記録させる第２の記録制御機能、
として機能させることを特徴とするプログラム。
【発明の詳細な説明】
【技術分野】
【０００１】
本発明は、撮像装置、撮像方法、及びプログラムに関する。
【背景技術】
【０００２】
従来より、ビデオカメラ又はデジタルカメラとリモコンとを無線接続し、リモコンによってビデオカメラ又はデジタルカメラでの動画記録を遠隔制御する技術が提案されている（例えば特許文献１参照）。この技術によれば、例えばバッファの蓄積量に応じて伝送に使用するチャンネル数を増減させることが可能である。
【先行技術文献】
【特許文献】
【０００３】
【特許文献１】特開２００１−３１３９３０号公報
【発明の概要】
【発明が解決しようとする課題】
【０００４】
しかしながら、従来技術では、記録された動画データは外部機器（例えばリモコン）に送信する必要がある。このため、周囲の環境に問題が生じ、ビデオカメラ又はデジタルカメラと外部機器との無線が切断された場合には、記録した動画が外部機器に送信されず保存できなくなるという問題があった。
【０００５】
そこで本発明は、周囲の環境の動画の保存への影響を低減させることを目的とする。
【課題を解決するための手段】
【０００６】
この発明に係る撮像装置は、撮像手段と、記録手段と、前記撮像手段に対して撮像動作を開始させることによって取得した画像を一時的に保存するものとして前記記録手段に記録させる第１の記録制御手段と、外部操作に基づいて、前記第１の記録制御手段によって記録された画像を、ファイル化して前記記録手段に記録させる第２の記録制御手段と、を備えることを特徴とする。
【０００７】
この発明に係る撮像方法は、撮像部と記録部とを備える撮像装置の撮像方法であって、  前記撮像部に対して撮像動作を開始させることによって取得した画像を一時的に保存するものとして前記記録部に記録させる第１の記録制御ステップと、外部操作に基づいて、前記第１の記録制御ステップで記録された画像を、ファイル化して前記記録部に記録させる第２の記録制御ステップと、を含むことを特徴とする。
【０００８】
この発明に係るプログラムは、撮像部と記録部とを備える撮像装置のコンピュータを、前記撮像部に対して撮像動作を開始させることによって取得した画像を一時的に保存するものとして前記記録部に記録させる第１の記録制御機能、外部操作に基づいて、前記第１の記録制御機能によって記録された画像を、ファイル化して前記記録部に記録させる第２の記録制御機能、として機能させることを特徴とする。
【発明の効果】
【０００９】
この発明によれば、周囲の環境の動画の保存への影響を低減させることができる。
【図面の簡単な説明】
【００１０】
【図１】本発明の実施形態によるデジタルカメラ１と表示部を備えるリモコン２とからなる遠隔システムの構成を示すブロック図である。
【図２】本発明の実施形態によるデジタルカメラ１の構成を示すブロック図である。
【図３】本実施形態によるデジタルカメラ１の動作を説明するためのフローチャートである。
【図４】本実施形態において、デジタルカメラ１のメモリ使用状態を説明するための概念図である。
【発明を実施するための形態】
【００１１】
以下、本発明の実施の形態を、図面を参照して説明する。
【００１２】
Ａ．実施形態の構成
図１は、本発明の実施形態によるデジタルカメラ１とリモコン２からなる画像生成システムの構成を示すブロック図である。図において、本実施形態のデジタルカメラ１は、表示部を備えていないデジタルカメラである。リモコン２は、スマートフォンや、タブレット端末などからなる、表示部を備えている外部機器である。デジタルカメラ１とリモコン２とは、それぞれが利用可能な無線通信３を用いて、ペアリング（無線接続認識）を構築する。リモコン２は、起動したカメラ操作専用アプリケーション（プログラム）を用いて、無線通信３を介して、デジタルカメラ１を遠隔操作する。
【００１３】
なお、本発明における遠隔操作とは、静止画／動画の撮影開始、停止、動作モードの設定、ズーミング、撮影条件の設定、撮影画像（撮影動画）の閲覧などの操作を含む。また、図１において、無線通信３は、無線ＬＡＮ（ＷｉＦｉ）や、Ｂｌｕｅｔｏｏｔｈ（登録商標）などからなる。また、デジタルカメラ１は、ユーザが把持、もしくは三脚などに設置して撮影する一般的な形状でも、人体に装着するような形状や、光学系（レンズ）と撮像素子（ＣＣＤ）、無線通信３を行う通信手段など、画像を撮像する最小限の構成からなる形態であってもよい。
【００１４】
図２は、本発明の実施形態によるデジタルカメラ１の構成を示すブロック図である。図において、本実施形態のデジタルカメラ１は、撮像部１０、画像処理部１１、キー入力部１２、無線通信部１３、プログラムメモリ１４、メモリ１５、外部記憶媒体１６、及び制御部１７を備えている。
【００１５】
撮像部１０は、光学レンズ群からなるレンズブロックと、ＣＣＤや、ＣＭＯＳなどの撮像素子からなり、レンズブロックから入った画像を撮像素子によりデジタル信号に変換して出力する。画像処理部１１は、撮影された画像データの画像処理（画素補間処理、γ補正、輝度色差信号の生成、ホワイトバランス処理、露出補正処理、重畳合成処理やフィルタ処理等）、画像データの圧縮・伸張（例えば、ＪＰＥＧ形式やＭ−ＪＰＥＧ形式又はＭＰＥＧ形式の圧縮・伸張）の処理、撮像画像のトリミングや撮像画像のデジタルズームなどの処理などを行う。
【００１６】
キー入力部１２は、シャッタキー、ズームキー、モードキー、ムービー記録開始／終了キー、電源オンオフキー等の複数の操作キーを含み、ユーザのキー操作に応じた操作信号を出力する。無線通信部１３は、例えば、Ｂｌｕｅｔｏｏｔｈ（登録商標）を用いて、外部機器（表示部を備える電子機器、例えば、スマートフォンや、タブレット端末など）との間で静止画データ／動画データなどを送受信する。省電力なＢｌｕｅｔｏｏｔｈ（登録商標）Ｌｏｗ  Ｅｎｅｒｇｙ、または、Ｂｌｕｅｔｏｏｔｈ（登録商標）＠Ｓｍａｒｔであればより好ましい。なお、Ｂｌｕｅｔｏｏｔｈ（登録商標）による無線通信部１３以外にも、無線ＬＡＮ（Ｌｏｃａｌ  Ａｒｅａ  Ｎｅｔｗｏｒｋ）や、ＮＦＣ（Ｎｅａｒ  Ｆｉｅｌｄ  Ｃｏｍｍｕｎｉｃａｔｉｏｎ：近接無線通信）、携帯電話の移動体通信網を用いる通信手段を備えていてもよい。
【００１７】
プログラムメモリ１４は、後述する制御部１７により実行されるプログラムや動作等に必要とされる各種パラメータなどを記憶している。メモリ１５は、撮像部１０によって撮像された静止画データ／動画データを一時記憶するバッファメモリとして使用されるとともに、後述する制御部１７がプログラムを実行した際のワーキングメモリとして使用される。外部記憶媒体１６は、マイクロＳＤカード、ＳＤカード等の記憶媒体からなり、撮影後の静止画ファイル／動画ファイルを記憶する。
【００１８】
制御部１７は、上述したプログラムメモリ１４に記憶されているプログラムを実行することで各部の動作を制御する。特に、本実施形態では、制御部１７は、リモコン２などの外部機器との無線接続確立状態からの切断を検出した場合や、接続解除信号を受信せずに切断した場合や、若しくは受信強度が弱くなり、デジタルカメラ１側から接続要求信号（リトライ含む）を送出してもＡＣＫが受信できなかった場合などに、外部記憶媒体１６の所定のアドレスから動画の記録を開始し、動画記録中にリモコン２との再接続がなければ、外部記憶媒体１６の記憶容量分まで動画の記録を継続する。なお、上記外部機器との無線接続確立状態からの切断には、ユーザが意図して無線接続を切断した場合（すなわち、接続解除信号を受信した後切断した場合）を含まないものとする。
【００１９】
また、制御部１７は、外部記憶媒体１６への動画記録中にリモコン２などの外部機器との再接続がないまま、外部記憶媒体１６の記憶容量を越えた場合には、今回の記録開始時からの動画を順次削除して動画の記録を継続する。
【００２０】
また、制御部１７は、外部記憶媒体１６への動画記録中にリモコン２などの外部機器と再接続すると、動画の録画を停止し、リモコン２から保存指示が検出された場合に、今回録画した動画をファイル化して残し、次の録画エリアのために記録開始アドレスを更新する。また、制御部１７は、リモコン２などの外部機器から保存指示が検出されない場合には、今回録画した動画ファイルを削除し（実際は上書き可能に設定し）、今回の録画のために設定された録画エリアを解放する。
【００２１】
なお、本実施形態において、リモコン２からの保存指示に従って、撮影した動画をファイル化するとは、
（１）ファイルヘッダ（プロファイルデータ）の書き込みとＥＯＦの設定
（２）外部記憶媒体１６の管理領域において、ファイル化された動画データが格納されている領域については上書き禁止とし、次回のバッファリングの際は、そのファイル化された動画データの格納アドレスを避けたアドレスを、書き込み開始位置とする。
ということを意味する。
【００２２】
なお、バッファリングされただけのファイル化されていない状態の動画データでも、動画再生・編集（フレーム切出し、静止画としてキャプチャー保存）は可能である。
【００２３】
Ａ−２．実施形態の動作
次に、上述した実施形態の動作について説明する。
図３は、本実施形態によるデジタルカメラ１の動作を説明するためのフローチャートである。また、図４は、本実施形態において、デジタルカメラ１のメモリ使用状態を説明するための概念図である。図３に示すフローチャートは、電源オンで、外部機器との無線接続確立状態からの切断を検出した場合に、制御部１７によって実行される。
【００２４】
制御部１７は、まず、外部記憶媒体１６の管理エリア情報を取得する（ステップＳ１０）。次に、制御部１７は、外部記憶媒体１６が初期化されているか否かを判断する（ステップＳ１２）。そして、初期化されている場合には（ステップＳ１２のＹＥＳ）、制御部１７は、記録開始アドレスを取得する（ステップＳ１４）。より具体的には、制御部１７は、外部記憶媒体１６が初期化されている場合、外部記憶媒体１６にファイル化された動画が存在するか否かを判断し、ファイル化された動画が存在する場合、そのファイル化された動画の格納領域以外の格納領域の記録開始アドレスを取得する。
【００２５】
一方、初期化されていない場合には（ステップＳ１２のＮＯ）、制御部１７は、初期化処理（クイックフォーマット）を実行し（ステップＳ１６）、記録開始アドレスを設定する（ステップＳ１８）。
【００２６】
いずれの場合も、制御部１７は、取得した記録開始アドレスから、撮像部１０によって撮影した動画データを記録する（ステップＳ２０）。制御部１７は、動画の記録中、外部機器（リモコン２）からの再接続要求を検出したか否かを判断する（ステップＳ２２）。
【００２７】
そして、外部機器（リモコン２）からの再接続要求が検出されない場合には（ステップＳ２２のＮＯ）、制御部１７は、メモリ１５の記憶容量を超えたか否かを判断する（ステップＳ２４）。ここで、メモリ１５の記憶容量を超えていない場合には（ステップＳ２４のＮＯ）、制御部１７は、ステップＳ２０に戻り、撮像部１０によって撮影した動画データの記録を継続する。
【００２８】
一方、メモリ１５の記憶容量を超えていた場合には（ステップＳ２４のＹＥＳ）、制御部１７は、今回の記録開始からの動画データを順次削除する（ステップＳ２６）。その後、制御部１７は、ステップＳ２０に戻り、撮像部１０によって撮影した動画データの記録を継続する。
【００２９】
また、動画記録中に、外部機器（リモコン２）からの再接続要求が検出された場合には（ステップＳ２２のＹＥＳ）、制御部１７は、動画の記録を停止し（ステップＳ２８）、外部機器（リモコン２）からの保存指示を検出したか否かを判断する（ステップＳ３０）。
【００３０】
そして、保存指示を検出した場合には（ステップＳ３０のＹＥＳ）、制御部１７は、記録開始アドレスを更新する（ステップＳ３２）。つまり、保存指示操作があった場合には、今回の動画記録領域を保存領域とすることで今回録画した動画ファイルを残し、次のフォーマットが行われるまでは、動画保存バッファとしては使用しない。その後、当該処理を終了する。一方、保存指示を検出しない場合には（ステップＳ３０のＮＯ）、制御部１７は、今回記録した動画を消去する（ステップＳ３４）。つまり、今回の動画記録領域を解放して使用可能とする。
【００３１】
図４は、本実施形態によるデジタルカメラ１の外部記憶媒体１６の使用状況を説明するための概念図である。メモリ初期化時は、位置Ａ（＄００００００００）から動画保存を行うが、位置Ｂ（＄４０００００００）で保存操作が行われた場合には、次のバッファ保存は位置Ｂから行う。また、録画した動画が保存されずに、リモコン２と再接続した場合には、外部記憶媒体１６のスタートアドレスから行う。また、保存された動画が存在しない場合には、位置Ａから記録を開始する。一方、保存された動画が存在する場合には、保存された動画の後の位置Ｂから次の動画の記録を開始する。
【００３２】
上述した実施形態によれば、リモコン２などの外部機器との通信状態が切断されたことを契機に、撮像部１０に対して撮像動作を開始させることによって取得した動画を一時的に外部記憶媒体１６に記録させ、通信が再開された際に、リモコン２などの外部機器からの外部操作によって保存が指示されると、外部記憶媒体１６に一時的に記録された動画を、ファイル化して外部記憶媒体１６に記録するようにしたので、周囲の環境に問題があっても、外部記憶媒体１６の記憶容量を有効に利用して動画を保存することができる。
【００３３】
上述した実施形態によれば、ファイル化された画像が外部記憶媒体１６に存在する否かを判断し、ファイル化された動画が存在すると判断した場合、そのファイル化された動画の格納領域以外を一時的に保存するための領域に割り当てることによって、取得した動画を保存するようにしたので、既に存在するファイル化された動画を消去（又は上書き）することなく、取得した動画を保存することができる。
【００３４】
上述した実施形態によれば、ファイル化された動画が存在すると判断した場合、そのファイル化された動画の格納領域を示すアドレス情報を取得し、そのアドレス情報以外で示される領域を一時的に保存するための領域に割り当てることによって、取得した動画を保存するようにしたので、既に存在するファイル化された動画を消去（又は上書き）することなく、取得した動画を保存することができる。
【００３５】
上述した実施形態によれば、外部記憶媒体１６に以前に一時的に保存され、且つファイル化されなかった動画を消去して、あるいは上書きして、取得した動画を一時的に保存するものとして外部記憶媒体１６に記録するようにしたので、外部記憶媒体１６の格納領域を有効的に利用することができる。
【００３６】
上述した実施形態によれば、リモコン２などの外部機器との通信状態が切断されると、撮像部１０に対して撮像動作を開始させることによって取得した動画を一時的に保存するものとして外部記憶媒体１６に記録するようにしたので、外部機器に取得した動画を転送することができないような状況であっても、外部記憶媒体１６の記憶容量を有効に利用して動画を保存することができる。
【００３７】
上述した実施形態によれば、外部機器が送信する特定の信号を受信できない場合や、外部機器が送信する信号強度が低下した場合、あるいは、外部機器と接続が継続している状態から切断された状態に移行した場合に、リモコン２などの外部機器との通信状態が切断される判断するようにしたので、リモコン２などの外部機器に取得した動画を転送することができないような状況であっても、外部記憶媒体１６の記憶容量を有効に利用して動画を保存することができる。
【００３８】
なお、上述した第１乃至第３実施形態では、動画についてのみ説明したが、動画に限らず、静止画であってもよい。
【００３９】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００４０】
（付記１）
付記１に記載の発明は、撮像手段と、記録手段と、前記撮像手段に対して撮像動作を開始させることによって取得した画像を一時的に保存するものとして前記記録手段に記録させる第１の記録制御手段と、外部操作に基づいて、前記第１の記録制御手段によって記録された画像を、ファイル化して前記記録手段に記録させる第２の記録制御手段と、を備えることを特徴とする撮像装置である。
【００４１】
（付記２）
付記２に記載の発明は、前記記録手段に前記第２の記録制御手段によってファイル化された画像が存在する否かを判断する判断手段を更に備え、前記判断手段によって前記記録手段に前記第２の記録制御手段によってファイル化された画像が存在すると判断した場合、前記第１の記録制御手段は、そのファイル化された画像の格納領域以外を一時的に保存するための領域に割り当てて前記取得した画像を保存するよう制御する、ことを特徴とする付記１に記載の撮像装置である。
【００４２】
（付記３）
付記３に記載の発明は、前記判断手段によって前記記録手段に前記第２の記録制御手段によってファイル化された画像が存在すると判断した場合、前記第１の記録制御手段は、そのファイル化された画像の格納領域を示すアドレス情報を取得し、そのアドレス情報以外で示される領域を一時的に保存するための領域に割り当てて前記取得した画像を保存するよう制御する、ことを特徴とする付記２に記載の撮像装置である。
【００４３】
（付記４）
付記４に記載の発明は、前記第１の記録制御手段は、以前に前記第１の記録制御手段によって記録制御され、且つ前記第２の記録制御手段によってファイル化されなかった画像を消去して、あるいは上書きして、取得した画像を一時的に保存するものとして前記記録手段に記録させる、ことを特徴とする付記１乃至３のいずれか一つに記載の撮像装置である。
【００４４】
（付記５）
付記５に記載の発明は、通信手段と、前記通信手段の動作状態の変化を検出する検出手段と、を更に備え、前記第１の記録制御手段は、前記検出手段によって検出された前記通信手段の動作の変化の内容に基づいて、前記撮像手段に対して撮像動作を開始させることによって取得した画像を一時的に保存するものとして前記記録手段に記録させる、ことを特徴とする付記１乃至４のいずれか一つに記載の撮像装置である。
【００４５】
（付記６）
付記６に記載の発明は、前記通信手段の動作状態の変化とは、通信相手先が送信する特定の信号を受信したか否かの判定処理に係る変化を含む、ことを特徴とする付記５に記載の撮像装置である。
【００４６】
（付記７）
付記７に記載の発明は、前記通信手段の動作状態の変化とは、通信相手先が送信する信号強度の変化を含む、ことを特徴とする付記５に記載の撮像装置である。
【００４７】
（付記８）
付記８に記載の発明は、前記通信手段の動作状態の変化とは、通信相手先と接続が継続している状態から切断された状態への変化である、ことを特徴とする付記５に記載の撮像装置である。
【００４８】
（付記９）
付記９に記載の発明は、前記画像は、動画を含む、ことを特徴とする付記１乃至４のいずれか一つに記載の撮像装置である。
【００４９】
（付記１０）
付記１０に記載の発明は、撮像部と記録部とを備える撮像装置の撮像方法であって、前記撮像部に対して撮像動作を開始させることによって取得した画像を一時的に保存するものとして前記記録部に記録させる第１の記録制御ステップと、外部操作に基づいて、前記第１の記録制御ステップで記録された画像を、ファイル化して前記記録部に記録させる第２の記録制御ステップと、を含むことを特徴とする撮像方法である。
【００５０】
（付記１１）
付記１１に記載の発明は、撮像部と記録部とを備える撮像装置のコンピュータを、前記撮像部に対して撮像動作を開始させることによって取得した画像を一時的に保存するものとして前記記録部に記録させる第１の記録制御機能、外部操作に基づいて、前記第１の記録制御機能によって記録された画像を、ファイル化して前記記録部に記録させる第２の記録制御機能、として機能させることを特徴とするプログラムである。
【符号の説明】
【００５１】
１  デジタルカメラ
２  リモコン
３  無線通信
１０  撮像部
１１  画像処理部
１２  キー入力部
１３  無線通信部
１４  プログラムメモリ
１５  メモリ
１６  外部記憶媒体
１７  制御部
【図１】
2016174334.tif 000003
【図２】
2016174334.tif 000004
【図３】
2016174334.tif 000005
【図４】
2016174334.tif 000006